(57)【要約】  本発明の目的は電気的且つ機械的に取付可能なモジュール式家具部品（１０１）を含むモジュール式家具構造である。モジュール式家具構造はモジュール式家具部品を互いに固定するとともにモジュール式家具部品の少なくとも１つの表面レベルに電気を伝えるために互いに電気的且つ機械的に取付可能な少なくとも２つのモジュール式家具部品（１０１）と、モジュール式家具部品の内部に形成される少なくとも２つの相互に電気絶縁された導電性支持構造（１０２）と、モジュール式家具部品の支持構造（１０２）を互いに機械的に固定するとともにモジュール式家具部品（１０１）の間で電気を伝えるための少なくとも２つの取付部品（１０３）と、モジュール式家具部品（１０１）の取付部品に取り付けられて、モジュール式家具部品の表面の方向に電気を伝えるとともに取付部品を通じて支持構造（１０２）を互いに固定する少なくとも２つのクランプ部品（１０４）とを含む。
2019514447.tif 000002
【特許請求の範囲】
【請求項１】
電気的且つ機械的に取付可能なモジュール式家具部品を含むモジュール式家具構造であって、当該モジュール式家具構造は、モジュール式家具部品を互いに固定するとともに該モジュール式家具部品の少なくとも１つの表面レベルに電気を伝えるために、
互いに電気的且つ機械的に取付可能な少なくとも２つのモジュール式家具部品と、
前記モジュール式家具部品内に形成される少なくとも２つの相互に電気絶縁された導電性支持構造と、
前記モジュール式家具部品の前記支持構造を互いに機械的に固定するとともに前記モジュール式家具部品の間で電気を伝えるための少なくとも２つの取付部品と、
前記モジュール式家具部品の前記取付部品に取り付けられる少なくとも２つのクランプ部品であって、前記モジュール式家具部品の表面の方向に電気を伝えるとともに前記取付部品を通じて前記支持構造を互いに固定する、少なくとも２つのクランプ部品と、を含むモジュール式家具構造。
【請求項２】
前記モジュール式家具構造は、電気により動作する少なくとも１つの電気アクチュエータと、部品の長さを調節することにより該アクチュエータを前記モジュール式家具部品に固定するとともに、前記アクチュエータの使用のために前記モジュール式家具部品から前記アクチュエータに電気を伝える少なくとも１つのクランプ部品とを含む、請求項１に記載のモジュール式家具構造。
【請求項３】
前記モジュール式家具構造は、工具を用いることにより前記モジュール式家具部品の取付面に形成される溝を通じてモジュール式家具部品の支持構造を互いに固定する取付部品を含み、該取付部品が前記支持構造の前記固定を行う、請求項１に記載のモジュール式家具構造。
【請求項４】
前記モジュール式家具構造はネジ固定孔が形成された取付部品を含み、前記モジュール式家具部品の支持構造は該ネジ固定孔を通じた回転動作により互いに固定される、請求項１に記載のモジュール式家具構造。
【請求項５】
前記モジュール式家具構造は非導電性材料でできた取付部品を含む、請求項１に記載のモジュール式家具構造。
【請求項６】
前記モジュール式家具構造は導電性材料でできた取付部品を含む、請求項１に記載のモジュール式家具構造。
【請求項７】
前記モジュール式家具構造は、ネジを通じて前記取付部品に固定され且つ前記モジュール式家具部品の支持構造を互いに固定するクランプ部品を含む、請求項１に記載のモジュール式家具構造。
【請求項８】
前記モジュール式家具構造はクランプ部品を含み、前記アクチュエータは、前記ロック部品の長さを大きくすることにより前記モジュール式家具部品の表面に固定され、前記アクチュエータは前記モジュール式家具構造に電気的に接続されている、請求項７に記載のモジュール式家具構造。
【請求項９】
前記モジュール式家具構造は回転シャフトを有するクランプ部品を含み、該回転シャフトの端部は偏心した形状を有し、該端部は前記クランプ部品が回転された場合に前記モジュール式家具部品の支持構造をロックする、請求項１に記載のモジュール式家具構造。
【請求項１０】
前記モジュール式家具構造はネジにより前記モジュール式家具部品の表面に固定可能なアクチュエータを含み、該アクチュエータはその動作のために該ネジを通じて電気を受け取る、請求項１に記載のモジュール式家具構造。
【発明の詳細な説明】
【技術分野】
【０００１】
社会において、基礎構造（infrastructure）はオフィス、家、病院、学校、製造ライン、組立ラインやレストラン等の多種多様な場所における様々な家具のために、また例えば展示会のための短期で設置可能な家具構造又は店舗や建物の内壁における長期用途のために用いられている。
【背景技術】
【０００２】
一般に、従来技術の家具は、使用機能として電導性が加えられていない従来のねじ継ぎ手及び様々な機械継ぎ手によって組み立てられる。そのため、別個の電気ケーブル、コネクタ及びブッシングを必要とすることなく、家具の近傍に又は家具の内部に又は例えば家具の表面を通じて電気を伝達することを実現するのは不可能である。家具の補助的部品は家具の用途を制限し、家具の外観を台無しにする。最も近い先行技術である特許文献１では、モジュール式家具構造が実現されているが、一体化された取付技術により家具の内部から家具の表面に電気を伝達することについて全く焦点が当てられていない。
【先行技術文献】
【特許文献】
【０００３】
【特許文献１】フィンランド国特許出願第２０１４５７５２号明細書
【発明の概要】
【課題を解決するための手段】
【０００４】
本発明は、モジュール式家具構造（modular  furniture  arrangement）内部で一体化された電気ネットワークを利用し、離れた構造の取付機構を用いることにより家具の表面の異なる位置に、また、あるモジュール式家具部品から別のモジュール式家具部品に電気を伝達することを目的とする。これは、電気的且つ機械的に取付可能なモジュール式家具部品を含むモジュール式家具構造により実現される。モジュル式家具構造は、モジュール式家具部品をお互い固定するとともにモジュール式家具部品の少なくとも１つの表面レベル（at  least  one  surface  level）に電気を伝えるために電気的且つ機械的に互いに取付可能な少なくとも２つのモジュール式家具部品と、モジュール式家具部品内に形成される少なくとも２つの相互に電気絶縁された導電性支持構造（mutually  electrically  insulated  electrically  conductive  support  structures）と、モジュール式家具部品の支持構造を互いに機械的に固定するとともにモジュール式家具部品の間で電気を伝えるための少なくとも２つの取付部品と、モジュール式家具部品の取付部品に取り付けられてモジュール式家具部品の表面の方向に電気を伝えるとともに取付部品を通じて支持構造を互いに固定する少なくとも２つのクランプ部品とを含む。
【０００５】
モジュール式家具部品を共に固定するとともにモジュール式家具部品の少なくとも１つの表面レベルに電気を伝えるために、本発明は、電気的且つ機械的に互いに取り付け可能なモジュール式家具部品と、モジュール式家具部品の内部に形成される少なくとも２つの相互の電気絶縁された導電性の支持構造とに基づく。本発明は、モジュール式家具部品の支持構造を互いに機械的に取り付けるとともにモジュール式家具部品の間で電気を伝えるための取付部品の使用にも基づく。
【０００６】
本発明の利点は、配線又は別個の固定具なしで様々な電子装置をモジュール式家具部品の表面上に接続又は固定することができる点である。１つの利点は、本発明は、異なる種類の電子装置をモジュール式家具構成、即ち、モジュール式家具構造の家具構造の存在の殆どの任意の取付接合部の異なる側に電気的に固定又は切り替えれるようにできる。本発明の主な利点は、配線や様々な留め具の使用が低減されるため電気的な安全性、衛生面及び審美性が大きく改善される。
【図面の簡単な説明】
【０００７】
【図１】図１は、本発明に係る家具構造の組立図の例示的な概要を示す。
【図２】図２は、モジュール式家具部品と取付部品とが分離している本発明に係る家具構造の組立図の例示的な概要を示す。
【図３】図３は、モジュール式家具部品が分かれており、取付部品が他方のモジュール式家具部品内に位置している、本発明に係る家具構造の組立図の例示的な概要を示す。
【図４】図４は、モジュール式家具部品が共にに取り付けられ、取付部品がモジュール式家具部品内に位置する、本発明に係る家具構造の組立図の例示的な概要を示す。
【図５】図５は、第２のモジュール式家具部品の成形面材料が取り除かれている、本発明に係る家具構造の組立図の例示的な概要を示す。
【図６】図６は、モジュール式家具部品が共にに取り付けられ、取付部品がモジュール式家具部品内に位置し、他方の取付部品が工具の使用によりロック位置に回転されている、本発明に係る家具構造の組立図の例示的な概要を示す。
【図７】図７は、アクチュエータがモジュール式家具部品の表面上に位置し、クランプ部品はモジュール式家具部品の表面上にアクチュエータを固定する準備ができている、本発明に係る家具構造の組立図の例示的な概要を示す。
【図８】図８は、モジュール式家具部品が共に取り付けられ、取付部品がモジュール式家具部品内に位置し、工具の使用によりロック位置に回転されている、本発明に係る家具構造の組立図の例示的な概要を示す。
【図９】図９は、図８の状況に対応する状況を示すが、両方のモジュール式家具部品の成形面材料が取り除かれ、アクチュエータ全体が示されている。
【図１０】図１０は、少なくとも１つのクランプ部品が偏心部を有し、それを回転させることにより支持構造を共に引っ張る力が形成する、本発明の組立図の例示的な概要を示す。
【図１１】図１１は、様々種類の使用目的を行うサンドイッチ状のモジュール式家具部品が得られる本発明に係る実施形態を示す。
【図１２】図１２は、２つのサンドイッチ状のモジュール式家具部品が共に取り付けられ、クランプ部品の使用により固定される準備ができている、本発明に係る実施形態を示す。
【図１３】図１３は、図１１にしたがって位置するサンドイッチ状のモジュール式家具部品がクランプ部品を用いて共に固定されている、本発明に係る実施形態を示す。
【図１４】図１４は、サンドイッチ状のモジュール式家具部品が共に固定され、アクチュエータが最も外側のモジュール式家具部品の表面上に位置する、本発明に係る実施形態を示す。
【図１５】図１５は、サンドイッチ状のモジュール式家具部品が共に固定され、アクチュエータが最も外側のモジュール式家具部品の表面上に位置し、中央及び右側のモジュール式家具部品の成形面材料が取り除かれている、本発明に係る実施形態を示す。
【図１６】図１６は、少なくとも１つのクランプ部品の端部にねじが形成され、ねじの後は外側の方に円錐状に成長する形状を有する、本発明に係る家具構造の組立図の概要を示す。
【図１７】図１７は、モジュール式家具部品が互いに対して位置し、雌型取付部品及び雄型取付部品がモジュール式家具部品を共に固定するために設置される準備ができている、本発明の組立図の概要を示す。
【図１８】図１８は、図１７に係る取付技術において、成形面材料が取り除かれ、雌型取付部品及び雄型取付部品が互いに内で固定位置に設置されている、本発明の組立図の概要を示す。
【図１９】図１９は、アクチュエータの設置状態が開始されたモジュール式家具部品の表面上にアクチュエータの設置準備ができた、本発明の組立図の概要を示す。
【図２０】図２０は、モジュール式家具部品の組み合わせの表面上に磁性表面材料が形成されている、本発明に係るインテリジェントモジュール表面構造の組立図の概要を示す。
【発明を実施するための形態】
【０００８】
本発明に係る実施形態では、電子装置の取付機構が実施される。電子装置は、固定手段に電気ネットワークを統合するとともに必要な使用電圧で家具の表面に固定されるアクチュエータを提供するために、モジュール式家具部品の表面に機械的且つ電気的に固定可能である。
【０００９】
図１〜図２０では、本発明に係る例示的な実施形態を示す。
【００１０】
モジュール式家具構造は、電気的且つ機械的に取付可能なモジュール式家具部品１０１を含む。それらを取り付けるために、モジュール式家具構造は、モジュール式家具部品１０１を互いに固定するとともにモジュール式家具部品の少なくとも１つの表面レベルに電気を伝えるために、互いに電気的且つ機械的に取付可能な少なくとも２つのモジュール式家具部品１０１を含む。少なくとも２つのモジュール式家具部品１０１には少なくとも２つの相互に電気絶縁された導電性支持構造１０２が形成されている。モジュール式家具構造は、モジュール式家具部品１０１の支持構造１０２を互いに機械的に固定するとともにモジュール式家具部品１０１の間で電気を伝えるために少なくとも２つの取付部品１０３を含む。さらに、機械的な家具構造は、取付部品１０３を通じて支持構造１０２を互いに固定するために、モジュール式家具部品１０１の取付部品１０３に取り付けられるとともにモジュール式家具部品の表面の方向に電気を伝えるために少なくとも２つのクランプ部品１０４を含むことができる。
【００１１】
本発明のいくつかの実施形態では、モジュール式家具構造は、電気により動作する少なくとも１つの電気式アクチュエータ１０５と、部品の長さを調整することによりアクチュエータ１０５をモジュール式家具部品１０１の表面に固定するととともにアクチュエータ１０５が電気を使えるようにモジュール式家具部品１０１からアクチュエータ１０５に電気を伝えるために少なくとも１つのクランプ部品１０４とを含むこともできる。
【００１２】
本発明の例示の実施形態では、モジュール式家具構造は取付部品１０３を含むことができ、取付部品１０３は、工具１５０を用いることによりモジュール式家具部品１０１の取付面に形成された溝を通じてモジュール式家具部品１０１の支持構造を互いに固定し、取付部品１０３は支持構造の固定を行う。取付部品１０３にはネジ締結孔１２２を形成でき、モジュール式家具部品１０１の支持構造１０２は、ネジ締結孔１０２２を通じた回転動作により互いに固定される。本実施形態によれば、取付部品１０３は非導電性材料又は導電性材料で作ることができる。
【００１３】
モジュール式家具構造は、ネジを通じて取付部品１０３に固定されるとともにモジュール式家具部品１０１の支持構造１０２を互いに固定するクランプ部品１０４をさらに含むことができる。本発明のいくつかの実施形態では、モジュール式家具構造はクランプ部品１０４を含むことができ、アクチュエータ１０５はロック部品の長さを大きくすることによりモジュール式家具部品１０１の表面に固定され、アクチュエータはモジュール式家具構造に電気的に接続される。クランプ部品１０４は回転シャフトを有することができ、回転シャフトの端部は偏心形状を有し、クランプ部品１０４が回転された場合にモジュール式家具部品１０１の支持構造１０２をロックする。
【００１４】
本発明に係るいくつかの実施形態では、モジュール式家具構造は、ネジ１０４でモジュール式家具部品１０１の表面に固定可能なアクチュエータを含むことができ、アクチュエータはネジ１０４を介してその動作のために電気を受け取る。
【００１５】
以下では、図１〜図２０に関連する本発明に係る異なる種類の詳細な実施形態を示す。
【００１６】
図１は、２つのモジュール式家具部品１０１が共に取り付けられ、例示のアクチュエータがモジュール式家具部品１０１の接合領域の表面に切り替えられる（switched）、本発明の組立図の概要を示す。
【００１７】
図２は、モジュール式家具部品１０１と取付部品１０３とが分かれている本発明の組立図の概要を示す。  図３は、モジュール式家具部品１０１が分離され、取付部品１０３が他方のモジュール式家具部品内に位置する、本発明の組立図を示す。
【００１８】
図４は、モジュール式家具部品１０１が共に取り付けられ、取付部品１０３がモジュール式家具部品内に位置する、本発明の組立図を示す。
【００１９】
図５は、モジュール式家具部品１０１が共に取り付けられ、取付部品１０３がモジュール式家具部品内に位置する、本発明の組立図を示す。他方のモジュール式家具部品１０１の成形面材料は取り外されている。
【００２０】
図６は、モジュール式家具部品１０１が共に取り付けられ、取付部品１０３がモジュール式家具部品内に位置し、他方の取付部品は工具１５０を用いることによりロック位置に回転されている、本発明の組立図を示す。他方のモジュール式家具部品１０１の成形面材料は取り除かれている。
【００２１】
図７は、モジュール式家具部品１０１が共に取り付けられ、取付部品１０３が他方のモジュール式家具部品内に位置し、工具１５０を用いることによりロック位置に回転される、本発明の組立図を示す。アクチュエータ（１０５）はモジュール式家具部品の表面に位置し、クランプ部品（１０４）はアクチュエータ１０５をモジュール式家具部品１０１の表面に固定する準備ができている。他方のモジュール式家具部品１０１の成形面材料は取り外されている。
【００２２】
図８は、モジュール式家具部品１０１が共に取り付けられ、取付部品１０３が他方のモジュール式家具部品内に位置し、工具１５０を用いることによりロック位置に回転されている、本発明の組立図を示す。アクチュエータ１０５はモジュール式家具部品の表面に位置し、クランプ部品１０４はモジュール式家具部品１０１の表面上にアクチュエータ１０５を固定するための準備ができている。他方のモジュール式家具部品１０１の成形面材料及びアクチュエータの表面の半分は図中取り外されている。
【００２３】
図９は、図８の状況に対応する状況を示しているが、双方のモジュール式家具部品１０１の成形面材料は取り外され、アクチュエータ全体が示されている。
【００２４】
図１０は、少なくとも1つのクランプ部品１０４が偏心部を有し、それを回転させることによって、支持構造１０２を共に引っ張る力を形成する、本発明の組立図の概要を示す。クランプ部品１０４は、最も強い引っ張り位置にロックされる部分を有する。クランプ部品の長さを調節することにより、モジュール式家具部品の表面に電気を伝えることができると同時に、アクチュエータ１０５はモジュール式家具部品１０１、１０６、１０７、１０８の表面に固定される。
【００２５】
図１１は本発明に係る実施形態を示し、該実施形態では異なる種類の使用目的を行うサンドイッチ状のモジュール式家具部品（電気を伝えるモジュール式家具部品（１０６））、が得られる。モジュール式家具部品１０６は電気を伝え、そのモジュール式家具部品はその特徴として液体及び気体を伝達するために内部に一体化可能な配管（integrable  piping）を有するモジュール式家具部品であり、パイプモジュール式家具部品１０８は支持構造を含まない。モジュール式家具部品１０６、１０７、１０８は、クランプ部品がモジュール式家具部品１０６、１０７、１０８の長手方向に位置する支持構造１０２の横方向に１つのモジュールから別のモジュールに電気を伝えた場合に、少なくとも１つのクランプ部品１０４を通じてサンドイッチモジュールにおけるクランプ部品の開口の方向から互いに切り替え可能である。
【００２６】
図１２は、２つのサンドイッチモジュール式家具部品１０６、１０７が共に取り付けられ、クランプ部品を用いることにより固定する準備ができている、本発明に係る実施形態を示す。
【００２７】
図１３は、図１１に従って位置するサンドイッチ状のモジュール式家具部品１０６、１０７が、サンドイッチモジュール式家具部品の間で又は必要に応じてクランプ部品の長さを調節することによりサンドイッチモジュール部品の表面に電気を伝えるクランプ部品１０４を用いることにより共に固定される、本発明に係る実施形態を示す。
【００２８】
図１４は、サンドイッチ状のモジュール式家具部品が共に固定され、アクチュエータ１０５が最も外側のモジュール式家具部品の表面上に位置し、アクチュエータはサンドイッチモジュール式家具部品を通じてクランプ部品１０４を介してその表面に固定される、本発明に係る実施形態を示す。
【００２９】
図１５は、サンドイッチ状のモジュール式家具部品が共に固定され、アクチュエータ１０５が最も外側のモジュール式家具部品の表面上に位置し、中央及び右側のモジュール式家具部品の成形面材料が取り外されている、本発明に係る実施形態を示す。
【００３０】
図１６は、少なくとも１つのクランプ部品１０４の端部にネジが形成され、ネジ１１２の後に外側に円錐状に成長する形状１１３を有する、本発明の組立図の概要を示す。取付部品１０３の少なくとも一端には開口が設けられ、開口内では円錐形状１１３の最も厚い部分が、取付部品の１０３の長手方向に少なくとも円錐形状のクランプ能力の量動くことができる。支持構造１０２の端部１０２にはネジ孔が形成され、クランプ部品１０４が回転され、円錐形状１１３は取付部品１０３により支持構造を互いに締め付け、モジュール式家具部品は互いに固定される。クランプ部品１０４の長さは、モジュール式家具部品の表面に電気を伝えるために調節でき、それと同時にアクチュエータ１０５はモジュール式家具部品１０１、１０６、１０７、１０８の表面に固定される。
【００３１】
図１７は、モジュール式家具部品１０１、１０６、１０７、１０８が互いに対して位置し、雌型取付部品１１５及び雄型取付部品１１６はモジュール式家具部品１０１、１０６、１０７、１０８を共に固定するために設置される準備ができている、本発明の組立図の概要を示す。雌型取付部品１１５及び雄型取付部品１１６の特徴は、少なくとも電気的且つ機械的に互いにインターロックすることを含み、潜在的な特徴として、前述の特徴に代えて又は前述の特徴との組合せでロック部品をモジュール式家具部品の表面の取付溝（１１４）に固定することを含む。
【００３２】
図１８は、図１７に係る取付技術において成形面材料が取り除かれている、本発明の組立図の概要を示す。雌型取付構成部品１１５及び雄型取付部品１１６は互い内で固定位置に設置されている。クランプ部品１０４は、雌型取付部品１１５及び雄型取付部品１１６をお互いに対して引っ張る準備ができており、必要に応じてモジュール式家具部品１０１、１０６、１０７、１０８の表面に電気を伝え、モジュール式家具部品１０１、１０６、１０７、１０８の表面に対してアクチュエータ１０５を取り付ける。図１８に係る取付部品１０３は、支持構造１０２の互いの固定を強化し、技術的に異なる取付部品１０３の実施形態によれば構造から除外される。取付部品には、それらが互いに対して引っ張るよう等しく且つ引き合う形状が得られ、該形状は雄型取付部品にも得られる。
【００３３】
図１９は、モジュール式家具部品１０１、１０６、１０７、１０８の表面上にアクチュエータ１０５を設置する準備ができ、アクチュエータの設置状態が開始されている、本発明の組立図の概要を示す。アクチュエータ１０５の大きさはアクチュエータ１０５の要求されるスペースに応じて調節することができ、モジュール式家具部品内の量を変えることができるか又は完全に省略できる。アクチュエータは成形又は機械的に取り付けられることにより機能部を備える。アクチュエータは、特定の標準サイズに加えて取付機構に分類される。この技術的な解決手段により、アクチュエータ１０５をモジュール式家具部品１０１、１０６、１０７、１０８の内部に埋め込めこむことができ、表面を安定に保ち、モジュール式家具部品１０１、１０６、１０７、１０８内で様々な機能を統合し、それらをモジュール式家具部品１０１、１０６、１０７、１０８を取り換える必要なしに交換できる。クランプ部品１０４は、アクチュエータ１０５に電力を伝達でき、制御を無線で行うことができる。
【００３４】
本発明の全ての技術的な解決手段は、いくつかの部品、形状、表面材料、構成要素又は他の技術的な特徴を機械的に相互に固定するかあるいは外側に押す力を得ることを希望するものであり、本明細書及び特許請求の範囲に係る取り付け方法は磁石によって又は電気的に得られる磁場に対応する方法により置き換え可能である。
【００３５】
本発明の全ての技術的な解決手段において、いくつかの部品、形状、表面材料、構成要素又は他の技術的な特徴を機械的に相互に固定し、得られる構成要素の全ての表面に電気絶縁層を形成できる。異なる構成要素の間で電気の導電性を制限できモジュール式家具構造の設置及び使用するために電気的に安全な実施形態に基づく特徴及び形状を有する。
【００３６】
本発明の全ての技術的な解決手段の取付部品１０２及びクランプ部品１０４に磁気特性を加えることができる。磁力を有する表面材料はモジュール式家具部品１０１、１０６、１０７、１０８の面にくっつく。
【００３７】
図２０は、モジュール式家具部品１０１、１０６、１０７、１０８の組み合わせの表面に磁気表面材料１１９が形成されている、本発明に係るインテリジェントモジュール表面構造（intelligent  modular  surface  arrangement）１１８の組立図の概要を示す。磁気表面材料１１９には標準化された大きさ及び形状の開口が所望の数設けられ、開口内には交換可能で且つ大きさ及び形状に応じて固定及び位置決めされる広告材料１２０が配置される。モジュール式家具部品の表面の標準化された開口にはアクチュエータ１０５を固定及び取り付けることができ、表面を通じてそれらの機能に従って来るニーズを有する。あるいは、それらは表面の下に隠れて位置することができる。磁気又は磁性表面材料は、取付部品１０３、クランプ部品１０４又はアクチュエータ１０５の磁気特性又は形状により、又はモジュール式家具部品１０１、１０６、１０７、１０８に形成された形状又はその形状に基づき表面の間に設置可能な固定手段である他の機械的な位置決め手段により付着する。粘着テープ又は機械的ラベルを接着手段として用いることもできる。
【００３８】
広告、雰囲気及びコミュニケーションを作成するためのインテリジェントモジュール表面構造：
家具を通じて宣伝を行う従来の方法は、様々な広告のテープやラベルを家具の表面に取り付けることであるが、設置作業や様々な化学物質の使用によって元の表面が被害を受けることになる。家具の表面が磨耗した場合、表面を更新しなければならない状況につながり、家具の所有者にとって退屈で高価である。
【００３９】
インテリジェントモジュール表面構造は、標準化された開口の全体システムを備える磁気的又は機械的に折り畳まれているローラー表面材料（magnetically  or  mechanically  folding  roller  surface  material）を含む。様々なニーズに応じて、開口のコンテンツを交換できる。開口のコンテンツは広告ステッカーの代わりに異なる広告面材料であるか又は例えばモジュール式家具部品の内部又は表面上に固定可能な、音、光、絵又は他の視覚聴覚作業等の効果を得るように設計されたアクチュエータである。
【００４０】
インテリジェントモジュール表面構造は、顧客がオンライン設計プログラムにより自身のニーズに応じた家具を作成し、オンライン設計プログラムにより顧客が望む広告、アクチュエータ及びその他の開口が家具の表面に配置される方法を含む。オンライン設計プログラムは、クライアントによって注文された家具構造のモジュール式家具部品の必要なリストを、表面材質と共に生産のために送信し、これはユーザーの構成情報を形成する。表面材質及び広告を備えるモジュール式家具部品は、配送面で合理的且つコンパクトなパッケージで顧客に届けられる。ニーズが変化した場合、顧客はオンライン設計プログラムにより家具の形状及び広告を備える表面材料に変更を加えることができる。オンライン設計プログラムがモジュール式家具部品及び広告を作成した場合、モジュール式家具部品及び広告はそれらの位置に常にフィットする。
【００４１】
本発明に係るモジュール式構造は、例えば壁構造又は天井構造においても用いることができる。
【図１】
2019514447.tif 000003
【図２】
2019514447.tif 000004
【図３】
2019514447.tif 000005
【図４】
2019514447.tif 000006
【図５】
2019514447.tif 000007
【図６】
2019514447.tif 000008
【図７】
2019514447.tif 000009
【図８】
2019514447.tif 000010
【図９】
2019514447.tif 000011
【図１０】
2019514447.tif 000012
【図１１】
2019514447.tif 000013
【図１２】
2019514447.tif 000014
【図１３】
2019514447.tif 000015
【図１４】
2019514447.tif 000016
【図１５】
2019514447.tif 000017
【図１６】
2019514447.tif 000018
【図１７】
2019514447.tif 000019
【図１８】
2019514447.tif 000020
【図１９】
2019514447.tif 000021
【図２０】
2019514447.tif 000022
【国際調査報告】
2019514447.tif 000023
2019514447.tif 000024